(57)【特許請求の範囲】
【請求項１】
着用者の腹側に配される腹側外装体と、着用者の背側に配される背側外装体と、腹側及び背側外装体に架け渡して固定された吸収性本体とを具備し、腹側外装体と背側外装体とが環状に連結されているパンツ型吸収性物品であって、
腹側外装体及び背側外装体のそれぞれにおける、前記吸収性本体の長手方向の端部の位置より股下部側に、吸収性物品の横方向に伸縮する第１帯状伸縮域及びそれより股下部側に位置し、吸収性物品の横方向に伸縮する第２帯状伸縮域を有しており、
第１及び第２帯状伸縮域は、それぞれ、腹側又は背側の外装体を構成する２枚のシート間に弾性部材を伸長状態で配して形成され、且つ前記吸収性本体と重なる部分に該弾性部材の切断によって形成された非伸縮部を有しその両側に一対の伸縮部を有しており、
腹側外装体及び背側外装体は、それぞれ、第２帯状伸縮域の非伸縮部の吸収性物品横方向の長さが、第１帯状伸縮域の非伸縮部の吸収性物品横方向の長さより長く、
腹側外装体の第２帯状伸縮域の非伸縮部の吸収性物品横方向の長さが、背側外装体の第２帯状伸縮域の非伸縮部の吸収性物品横方向の長さより短い、パンツ型吸収性物品。
【請求項２】
腹側外装体と背側外装体の、吸収性物品縦方向に沿う両側縁部どうしが接合されてサイドシール部が形成されており、腹側外装体及び背側外装体は、それぞれ、吸収性物品縦方向の長さが前記サイドシール部の長さより長く、それぞれ、該サイドシール部より下方に延出する延出部分を有しており、
前記第２帯状伸縮域は、前記延出部分に有している、請求項１に記載のパンツ型吸収性物品。
【請求項３】
腹側及び／又は背側外装体において、第１及び第２帯状伸縮域は、吸収性物品横方向における非伸縮部の長さの大小関係と、第１又は第２帯状伸縮域と吸収性本体との接合部の、吸収性物品横方向の長さの大小関係とが一致している、請求項１又は２に記載のパンツ型吸収性物品。
【請求項４】
前記請求項１〜３の何れか１項に記載のパンツ型吸収性物品の製造方法であって、
腹側及び背側外装体の原反である２枚の帯状シートを、両者間に弾性部材を介在させた状態に重ね合わせ、重ね合わせた両帯状シートを、周面に弾性部材切断用の凸部を有する凸ロールと該凸ロールに対向配置された他のロールとの間に導入して、該弾性部材を、腹側及び背側外装体の第１及び第２帯状伸縮域の非伸縮部に対応する部位で切断する弾性部材切断工程、及び弾性部材切断工程後に、前記両帯状シートを腹側外装体部分と背側外装体部分とに切断して分割する分割工程を具備する、パンツ型吸収性物品の製造方法。
【発明の詳細な説明】
【技術分野】
【０００１】
本発明は、パンツ型使い捨ておむつ等のパンツ型吸収性物品及びその製造方法に関する。
【背景技術】
【０００２】
従来、着用者の腹側に配される腹側部、着用者の股間部に配される股下部及び着用者の背側に配される背側部に亘る砂時計状の外装体と、該外装体の内面側に固定された吸収性本体とを備え、腹側部における外装体の両側縁部と背側部における外装体の両側縁部とが接合されてウエスト開口部及び一対のレッグ開口部が形成されているパンツ型吸収性物品が知られている。
このようなパンツ型吸収性物品を連続生産する際には、外装体の帯状原反にレッグ開口部形成用の貫通孔や切り欠きを形成し、不要な部分をトリムとして除去するのが一般的である。
【０００３】
また、従来のパンツ型吸収性物品として、外装体が、着用者の腹側に配される腹側外装体と、着用者の背側に配される背側外装体とに分割されており、吸収性本体が、腹側外装体及び背側外装体に架け渡して固定されていると共に、腹側及び背側外装体が環状に連結されているパンツ型吸収性物品が知られている。例えば、特許文献１には、そのようなパンツ型吸収性物品として、前ベルト部分及び後ろベルト部分からなる環状弾性ベルトと吸収性本体とを備えると共に、後ろベルト部分（背側外装体）の縦方向の長さを、前ベルト部分（腹側外装体）の縦方向の長さよりも長くしたプルオン衣類が記載されている。
【０００４】
また、外装体が腹側外装体と背側外装体とに分割されたものではないが、特許文献２には、前身頃における外形シート（外装体）の吸収体と重なる部分に、外形シートを構成するシート間に配した伸縮部材を切断した切断領域を形成し、該切断領域の幅を、前身頃のウエスト開口部側の端部から中間点までは漸次拡大させ、該中間点から中央寄り側では一定幅とした使い捨ておむつが記載されている。
【先行技術文献】
【特許文献】
【０００５】
【特許文献１】特表２００８−５０８０８２号公報
【特許文献２】特開２００２−２７３８０８号公報
【発明の概要】
【発明が解決しようとする課題】
【０００６】
外装体が、着用者の腹側に配される腹側外装体と着用者の背側に配される背側外装体とに分割されたパンツ型吸収性物品は、外装体の帯状原反からのトリムの除去を不要としたり、除去すべきトリムの小型化等を図ることができるが、股下部付近の外観やフィット性の点で改善の余地があった。特許文献１のプルオン衣類も同様である。
特許文献２に記載の使い捨ておむつは、外装体が、腹側外装体と背側外装体とに分割されたパンツ型吸収性物品ではなく、また、股下部付近の外観やフィット性を改善するものでもない。
【０００７】
従って、本発明は、外装体が、着用者の腹側に配される腹側外装体と着用者の背側に配される背側外装体とに分割されたタイプの吸収性物品でありながら、股下部付近の、外観及び／又はフィット性が改善された吸収性物品に関する。
【課題を解決するための手段】
【０００８】
本発明は、着用者の腹側に配される腹側外装体と、着用者の背側に配される背側外装体と、腹側及び背側外装体に架け渡して固定された吸収性本体とを具備し、腹側外装体と背側外装体とが環状に連結されているパンツ型吸収性物品であって、腹側及び／又は背側外装体における、前記吸収性本体の長手方向の端部の位置より股下部側に、吸収性物品の横方向に伸縮する第１帯状伸縮域及びそれより股下部側に位置し、吸収性物品の横方向に伸縮するする第２帯状伸縮域を有しており、第１及び第２帯状伸縮域は、それぞれ、腹側又は背側の外装体を構成する２枚のシート間に弾性部材を伸長状態で配して形成され、且つ前記吸収性本体と重なる部分に該弾性部材の切断によって形成された非伸縮部を有しその両側に一対の伸縮部を有しており、第１帯状伸縮域の非伸縮部と第２帯状伸縮域の非伸縮部とで、吸収性物品横方向の長さが異なる、パンツ型吸収性物品を提供するものである。
【０００９】
また、本発明は、前記のパンツ型吸収性物品の製造方法であって、腹側及び背側外装体の原反である２枚の帯状シートを、両者間に弾性部材を介在させた状態に重ね合わせ、重ね合わせた両帯状シートを、周面に弾性部材切断用の凸部を有する凸ロールと該凸ロールに対向配置された他のロールとの間に導入して、該弾性部材を、腹側及び背側外装体の第１及び第２帯状伸縮域の非伸縮部に対応する部位で切断する弾性部材切断工程、及び弾性部材切断工程後に、前記両帯状シートを腹側外装体部分と背側外装体部分とに切断して分割する分割工程を具備する、パンツ型吸収性物品の製造方法を提供するものである。
【発明の効果】
【００１０】
本発明のパンツ型吸収性物品は、着用者の腹側に配される腹側外装体と着用者の背側に配される背側外装体とに分割されたタイプのパンツ型吸収性物品でありながら、股下部付近の、外観及び／又はフィット性が改善されている。
【図面の簡単な説明】
【００１１】
【図１】図１は、本発明の第１実施形態であるパンツ型使い捨ておむつの使用状態（着用状態）を示す図であり、（ａ）は、腹側部側から見た図、（ｂ）は、側方から見た図、（ｃ）は、背側部側から見た図である。
【図２】図２は、図１に示すパンツ型使い捨ておむつの展開且つ伸張状態を示す一部破断概略平面図である。展開且つ伸長状態とは、サイドシール部を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図１に示すパンツ型使い捨ておむつの腹側部側をおむつ外面側から見た伸長状態の一部破断拡大図である。
【図４】図４は、図１に示すパンツ型使い捨ておむつの背側部側をおむつ外面側から見た伸長状態の一部破断拡大図である。
【図５】図５は、図１に示すパンツ型使い捨ておむつにおける背側延出部伸縮部のおむつ横方向に沿う断面を示す図であり、（ａ）は、弾性部材２４を伸長させて襞をなくした状態、（ｂ）は弾性部材２４が収縮して襞３０が形成されている状態を示す図である。
【図６】図６は、本発明の第２実施形態であるパンツ型使い捨ておむつを示す模式展開平面図である。
【図７】図７は、本発明の第３実施形態であるパンツ型使い捨ておむつを示す模式展開平面図である。
【図８】図８は、本発明の第４実施形態であるパンツ型使い捨ておむつを示す模式展開平面図である。
【図９】図９は、本発明のパンツ型吸収性物品の製造方法の一実施態様を示す概略図である。
【発明を実施するための形態】
【００１２】
以下、本発明のパンツ型吸収性物品を、その好ましい実施形態に基づき図面を参照しながら説明する。
本発明の第１実施形態であるパンツ型使い捨ておむつ１（以下、おむつ１ともいう）は、図２に示すように、着用者の腹側に配される腹側外装体２Ａと、着用者の背側に配される背側外装体２Ｂと、腹側外装体２Ａ及び背側外装体２Ｂに架け渡して固定された吸収性本体３とを具備し、図１に示すように、腹側外装体２Ａと背側外装体２Ｂとが環状に連結されているパンツ型の使い捨ておむつ１である。
【００１３】
おむつ１についてより詳細に説明する。
おむつ１は、腹側外装体２Ａと背側外装体２Ｂの両側縁部２ａ、２ｂに、腹側外装体２Ａと背側外装体２Ｂとを接合して形成されたサイドシール部４を有している。
また、図２に示すように、腹側外装体２Ａは、吸収性物品縦方向の長さＬａが、サイドシール部４の同方向の長さＬ４より長く、該サイドシール部４より下方に延出する腹側延出部２１ａを有している。また、背側外装体２Ｂは、吸収性物品縦方向の長さＬｂが、サイドシール部４の長さＬ４より長く、該サイドシール部４より下方に延出する背側延出部２１ｂを有している。
【００１４】
おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ（吸収性物品）１の縦方向は、腹側部Ａから股下部Ｃを経て背側部Ｂに亘る方向又はその逆方向（図２中Ｘ方向）であり、おむつ（吸収性物品）１の横方向は、その縦方向に直交する方向（図２中Ｙ方向）である。
【００１５】
おむつ１の吸収性本体３は、図２に示すように、液透過性の表面シート３１、液不透過性又は撥水性の裏面シート３２、及び両シート３１、３２間に介在配置された液保持性の吸収性コア３３を有しており、Ｘ方向に長い長方形状に形成されている。
吸収性本体３の長手方向の両側部には、液抵抗性ないし撥水性で且つ通気性の素材から構成された側方カフス３４，３４が形成されている。各側方カフス３４の自由端の近傍には、側方カフス弾性部材３５が伸長状態で配されている。おむつ１を着用させる際には、側方カフス弾性部材３５が収縮することにより側方カフス３４が起立し、吸収性本体３から幅方向外方への液の流出が阻止される。表面シート３１、裏面シート３２及び吸収性コア３３としては、それぞれ、この種の吸収性物品に従来用いられているものと同様のものを用いることができる。吸収性本体３の外側には不織布やフィルム等の外装シートが配されている。外装シートは裏面シート３２と一体化されていてもよい。
【００１６】
腹側外装体２Ａは、おむつ１の展開且つ伸長状態（図２参照）において、横長の長方形状をなしており、おむつ縦方向（Ｘ方向）に沿う左右一対の側縁部２ａ，２ａと、おむつ横方向（Ｙ方向）に沿う上下一対の端縁部２ｃ，２ｄとを有している。背側外装体２Ｂも、同様に、横長の長方形状をなしており、おむつ縦方向（Ｘ方向）に沿う左右一対の側縁部２ｂ，２ｂと、おむつ横方向（Ｙ方向）に沿う上下一対の端縁部２ｃ，２ｄとを有している。腹側外装体２Ａと背側外装体２Ｂは、図２のようにおむつ縦方向（Ｘ方向）の長さがおむつ横方向（Ｙ方向）において均一である。
そして、腹側外装体２Ａの側縁部２ａの一部２ａ’と、背側外装体２Ｂの側縁部２ｂの一部２ｂ’とが接合されていることによって、おむつ１には、サイドシール部４，４、ウエスト開口部５及び一対のレッグ開口部６，６が形成されている。この接合には、例えばヒートシール、高周波シール、超音波シール、接着剤等が用いられる。図１には、ウエスト開口部５に幼児の胴部７ａ、レッグ開口部６，６に幼児の脚部７ｂ，７ｂが挿通された状態が示されている。
【００１７】
腹側外装体２Ａ及び背側外装体２Ｂは、図２に示すように、弾性部材２４を伸長させた状態で、一対の側縁部２ａ，２ａどうし、及び一対の側縁部２ｂ，２ｂどうしが、それぞれ互いに平行であることが好ましい。また、腹側外装体２Ａ及び背側外装体２Ｂは、弾性部材２４を伸長させた状態で、横長長方形状であることが好ましい。
なお、一対の側縁部２ｂ，２ｂどうしは、それぞれ互いに平行なものに代えて非平行なものであっても良く、例えば、腹側外装体２Ａ又は背側外装体２Ｂの端縁部２ｄから端縁部２ｃに向かって、一対の側縁部間の距離が拡大したり、減少したり、一旦拡大した後に減少するもの、一旦減少した後に拡大するもの等であっても良い。
【００１８】
サイドシール部４は、図２に示すように、腹側外装体２Ａの長さＬａ及び背側外装体２Ｂの長さＬｂの何れよりも短く形成されており、腹側外装体２Ａ及び背側外装体２Ｂには、それぞれ、サイドシール部４より下方（着用時における下方）に延出する、腹側延出部２１ａ及び背側延出部２１ｂが形成されている。
【００１９】
おむつ１における腹側外装体２Ａ及び背側外装体２Ｂは何れも、図３及び図４に示すように、おむつの外面をなす外層シート２２と、外層シート２２の内面側に配された内層シート２３と、両シート２２，２３間に、おむつ横方向（Ｙ方向）に沿って伸長状態で配された複数本の糸状の弾性部材２４とを備えており、それぞれ、ウエスト帯状伸縮域Ｇ１、第１帯状伸縮域Ｇ２及び第２帯状伸縮域Ｇ３を有している。
【００２０】
ウエスト帯状伸縮域Ｇ１は、腹側外装体２Ａ及び背側外装体２Ｂのそれぞれにおいて、おむつ１の縦方向（Ｘ方向）における、吸収性本体３の長手方向の端部３ａ，３ｂの位置より外方（ウエスト開口部の開口端側）に形成されている。
第１帯状伸縮域Ｇ２及び第２帯状伸縮域Ｇ３は、腹側外装体２Ａ及び背側外装体２Ｂのそれぞれにおいて、おむつ１の縦方向（Ｘ方向）における、吸収性本体３の長手方向の端部３ａ，３ｂの位置より股下部Ｃ側に形成されており、且つ第２帯状伸縮域Ｇ３は、第１帯状伸縮域Ｇ２より股下部Ｃ側に位置している。
ウエスト帯状伸縮域Ｇ１、第１帯状伸縮域Ｇ２及び第２帯状伸縮域Ｇ３は、何れも、弾性部材２４の存在によって、おむつ１の横方向（Ｙ方向）に伸縮する。
【００２１】
腹側外装体２Ａは、おむつ１の縦方向（Ｘ方向）に沿う両側縁部２ａ，２ａに、外層シート２２と内層シート２３との間が接着剤を介して接合された一対の端部固定部２７を有している（図３参照）。また、背側外装体２Ｂも、同様に、おむつ１の縦方向（Ｘ方向）に沿う両側縁部２ｂ，２ｂに、外層シート２２と内層シート２３との間が接着剤を介して接合された一対の端部固定部２７を有している（図４参照）。
【００２２】
また、腹側外装体２Ａ及び背側外装体２Ｂは、図３及び図４に示すように、一対の前記端部固定部２７，２７間に、外層シート２２と内層シート２３との間が接着剤を介して接合された、一対の第１本体側固定部２８，２８及び一対の第２本体側固定部２９，２９を有している。一対の第１本体側固定部２８，２８は、主として第１帯状伸縮域Ｇ２に対応して設けられており、一対の第２本体側固定部２９，２９は、主として第２帯状伸縮域Ｇ３に対応して設けられている。第１及び第２本体側固定部２８，２９は、それぞれ、おむつ１の幅方向において、端部固定部２７に比して吸収性本体３側（Ｙ方向中央部側）に形成されている。
【００２３】
腹側及び背側外装体２Ａ，２Ｂのウエスト帯状伸縮域Ｇ１は、何れも、図３又は図４に示すように、腹側外装体２Ａ又は背側外装体２Ｂにおける、端部固定部２７，２７間の全域に亘って伸縮性を発現するように形成されている。ウエスト帯状伸縮域Ｇ１は、一対の端部固定部２７，２７間に亘って連続する複数本の弾性部材２４を有している。ウエスト帯状伸縮域Ｇ１は、端部固定部２７，２７間に亘って連続する弾性部材２４と共に、一対の第１本体側固定部２８，２８間の領域で切断されて左右に分断された弾性部材を有していても良い。
【００２４】
腹側及び背側外装体２Ａ，２Ｂの第１帯状伸縮域Ｇ２は、何れも、図３又は図４の左右それぞれにおける、端部固定部２７と第１本体側固定部２８との間が、おむつ１の横方向に伸縮する伸縮部Ｇ２２，Ｇ２２となっている。他方、第１本体側固定部２８，２８間は、弾性部材２４の切断によって形成された非伸縮部Ｇ２１となっている。
【００２５】
腹側及び背側外装体２Ａ，２Ｂの第２帯状伸縮域Ｇ３は、同様に、図３又は図４の左右それぞれにおける、端部固定部２７と第２本体側固定部２９との間が、おむつ１の横方向に伸縮する伸縮部Ｇ３２，Ｇ３２となっている。他方、第２本体側固定部２９，２９間は、弾性部材２４の切断によって形成された非伸縮部Ｇ３１となっている。
【００２６】
図３及び図４に示すように、ウエスト帯状伸縮域Ｇ１、第１帯状伸縮域Ｇ２中の伸縮部Ｇ２２，Ｇ２２及び第２帯状伸縮域Ｇ３中の伸縮部Ｇ３２，Ｇ３２においては、外層シート２２と内層シート２３との間が、散点状に形成された多数の接合部２６において接合されている。
より具体的には、ウエスト帯状伸縮域Ｇ１，前記伸縮部Ｇ２２，Ｇ２２及び前記伸縮部Ｇ３２，Ｇ３２の何れにおいても、おむつ１の横方向（Ｙ方向）に接合部２６が直列配置されてなる横接合部列が、おむつ１の縦方向（Ｘ方向）に間隔をおいて複数列形成されている。また、それらの横接合部列における各接合部のＹ方向の位置も全ての接合部列において一致している。また、おむつ１の縦方向（Ｘ方向）に接合部２６が直列配置されてなる縦接合部列も形成されており、該縦接合部列は、おむつ１の横方向（Ｙ方向）に間隔をおいて複数列形成されている。
【００２７】
そして、ウエスト帯状伸縮域Ｇ１，前記伸縮部Ｇ２２，Ｇ２２及び前記伸縮部Ｇ３２，Ｇ３２の何れにおいても、複数本の弾性部材２４が、それぞれ、おむつ１の縦方向（Ｘ方向）において隣り合う接合部２６間を通るように配されている。また、ウエスト帯状伸縮域Ｇ１，前記伸縮部Ｇ２２，Ｇ２２及び前記伸縮部Ｇ３２，Ｇ３２に配された弾性部材２４は、端部固定部２７及び第１及び第２本体側固定部２８，２９においてシート２２，２３間に固定されている一方、それ以外の部位においては、シート２２，２３の何れにも固定されていない。
【００２８】
おむつ１におけるウエスト帯状伸縮域Ｇ１，前記伸縮部Ｇ２２，Ｇ２２及び前記伸縮部Ｇ３２，Ｇ３２のそれぞれにおいては、弾性部材２４が収縮することにより、隣接する縦接合部列間のシート２２及び２３が外方に膨らむように変形して、隣接する縦接合部列間にシート２２又はシート２３からなる襞３０が生じると共に、両シート２２，２３間には、襞３０と襞３０とに周囲を囲まれた中空部３０’が形成される（図５参照）。襞３０や中空部３０’が形成されることにより、腹側外装体２Ａ及び背側外装体２Ｂの柔らかさが向上して肌触り等が向上する他、肌当接面側に形成される襞３０と襞３０との間を空気が流通し易くムレ防止性にも優れている。特に、内層シート２３を、不織布等の通気性シートで形成した場合等においては、おむつ１内の湿気を外部に一層逃がしやすくなる。
【００２９】
前記伸縮部Ｇ２２，Ｇ２２又は前記伸縮部Ｇ３２，Ｇ３２に配された弾性部材２４は、第１又は第２本体側固定部２８，２９の位置を超えて、非伸縮部Ｇ２１，３１内まで入り込んでいる。本実施形態においては、弾性部材２４が伸長状態で固定されている第１又は第２本体側固定部２８，２９も、前記伸縮部Ｇ２２，Ｇ２２又は前記伸縮部Ｇ３２，Ｇ３２の一部である。
他方、非伸縮部Ｇ２１，３１内に入り込んでいる弾性部材は、第１本体側固定部２８，２８間、又は第２本体側固定部２９，２９間において、少なくとも１箇所、好ましくは複数箇所において切断されており、非伸縮部Ｇ２１，Ｇ３１に伸縮性を付与していない。非伸縮部Ｇ２１，３１における弾性部材は、シート２２及び／又はシート２３に、伸長状態が解除された状態で接着されていても良い。例えば、複数箇所で切断されて生じた切断片が、シート２２又は２３に弱く接着された状態で収縮していても良い。
【００３０】
非伸縮部Ｇ２１，３１における弾性部材（図示せず）は、おむつ１の縦方向（Ｘ方向）及び幅方向（Ｙ方向）に分散した多数の箇所で、加圧及び／又は加熱されて切断されていることが好ましい。完成したおむつ１（パンツ型吸収性物品）においては、このようにして、弾性部材を切断した切断点（図示せず）が、シート２２及び／又は２３に生じた、構成繊維どうしの融着部、厚密化部又は微小な切れ等として残っている。
【００３１】
図３及び図４に示すように、第１実施形態のおむつ１においては、腹側及び背側外装体２Ａ，２Ｂにおける第１帯状伸縮域Ｇ２は、何れも、一対のサイドシール部４，４間に位置する腹側外装体本体２０ａ及び背側外装体本体２０ｂに形成されており、腹側及び背側外装体２Ａ，２Ｂにおける第２帯状伸縮域Ｇ３は、何れも、サイドシール部４，４より下方に延出する、腹側延出部２１ａ及び背側延出部２１ｂに形成されている。
【００３２】
第１実施形態のおむつ１においては、図３に示すように、腹側外装体２Ａにおける、第１帯状伸縮域Ｇ２の非伸縮部Ｇ２１と第２帯状伸縮域Ｇ３の非伸縮部Ｇ３１とで、おむつ（吸収性物品）横方向（Ｙ方向）の長さＬ１ａ，Ｌ２ａが異なっている。また、背側外装体２Ｂにおける、第１帯状伸縮域Ｇ２の非伸縮部Ｇ２１と第２帯状伸縮域Ｇ３の非伸縮部Ｇ３１とで、おむつ（吸収性物品）横方向（Ｙ方向）の長さＬ１ｂ，Ｌ２ｂが異なっている。
【００３３】
第１実施形態のおむつ１におけるように、腹側外装体２Ａにおいて、前記長さＬ１ａと前記長さＬ２ａとを異ならせるか、及び／又は背側外装体２Ｂにおいて、前記長さＬ１ｂと前記長さＬ２ｂとを異ならせることにより、容易に、第１帯状伸縮域Ｇ２及び第２帯状伸縮域Ｇ３それぞれの収縮の程度や、収縮の程度のバランスを適宜に変化させることができる。
【００３４】
そのため、例えば、着用者の体重、年齢（幼児又は大人等）、性別又はそれによる体型の差等に応じて、股下部近傍に最適なフィット性が得られるように、第１帯状伸縮域Ｇ２及び第２帯状伸縮域Ｇ３それぞれの収縮の程度や、第１帯状伸縮域Ｇ２と第２帯状伸縮域Ｇ３の収縮の程度のバランスを調整することや、股下部近傍におけるおむつの外観を最適なものとするために、第１帯状伸縮域Ｇ２及び第２帯状伸縮域Ｇ３それぞれの収縮の程度や、第１帯状伸縮域Ｇ２と第２帯状伸縮域Ｇ３の収縮の程度のバランスを調整することできる。また、第１帯状伸縮域Ｇ２と第２帯状伸縮域Ｇ３とで配する弾性部材の種類や太さ等を異ならせても良いが、種類や太さ等の同じ弾性部材を同一の伸長率でシート２２，２３間に導入する場合であっても、上述のような、着用者の体重、年齢（幼児又は大人等）、性別又はそれによる体型の差等に応じた設計とすることができる。
【００３５】
第１実施形態のおむつ１においては、図４に示すように、背側外装体２Ｂにおける第２帯状伸縮域Ｇ３が背側延出部２１ｂに形成されており、その第２帯状伸縮域Ｇ３の非伸縮部Ｇ３１のおむつ横方向の長さＬ２ｂが、第１帯状伸縮域Ｇ２の非伸縮部Ｇ２１のおむつ横方向の長さＬ１ｂより長くなっている。
そのため、例えば、第１帯状伸縮域Ｇ２においては、Ｙ方向に収縮した際に体にフィットしおむつ１のズレを抑制しつつ、第２帯状領域Ｇ３においては、背側延出部２１ｂがＹ方向に大きく収縮することを防止することができ、背側延出部２１ｂのめくれを防止しながら、優れた臀部の被覆性を得ることができる。
第１実施形態のおむつ１において、前記長さＬ２ｂは、前記長さＬ１ｂの１０５〜２００％、特に１１０〜１５０％であることが好ましい。なお、図４に示す例においては、前記長さＬ１ｂが吸収性本体３の幅と略同じである一方、前記長さＬ２ｂが吸収性本体３の幅よりも長くなっている。前記長さＬ２ｂが吸収性本体３の幅よりも長いと、吸収体がＹ方向に縮むのを更に抑制し臀部側股間部の被覆性を得る事が出来、就寝の際の尿漏れ防止等が良好となる。
【００３６】
しかも、第１実施形態のおむつ１においては、図３に示すように、腹側外装体２Ａにおける、第２帯状伸縮域Ｇ３が腹側延出部２１ａに形成されており、その第２帯状伸縮域Ｇ３の非伸縮部Ｇ３１のおむつ横方向の長さＬ２ａが、第１帯状伸縮域Ｇ２の非伸縮部Ｇ２１のおむつ横方向の長さＬ１ａより短くなっている。
そのため、例えば、背側延出部２１ｂについては、延出部２１ｂのめくれや臀部の被覆性の低下を防止しながら、腹側延出部２１ａについては、おむつ横方向（Ｙ方向）にある程度大きく収縮させて、腹側延出部２１ａを、図１に示すような、脚廻りに沿った形状に変形させることができ、フィット性が向上し、また体との隙間が減少する事でモレへの不安感を与えない。
【００３７】
第１実施形態のおむつ１において、前記長さＬ２ａは、前記長さＬ１ａの５〜９５％、特に５０〜９０％であることが好ましい。なお、図３に示す例においては、前記長さＬ１ａが吸収性本体３の幅と略同じである。
【００３８】
また、おむつ１においては、腹側外装体２Ａ及び背側外装体２Ｂに前述した腹側及び背側延出部２１ａ，２１ｂを有し、腹側及び背側延出部２１ａ，２１ｂに前述した第２帯状伸縮域Ｇ３が形成されているため、おむつ１を着用したときに、腹側外装体２Ａ及び背側外装体２Ｂの腹側及び背側延出部２１ａ，２１ｂに存する側縁部２ａ，２ｂが、図１（ｂ）に示すように、腹側部方向と背側部方向に分かれて脚廻りに沿うように開くため、履きやすいと共に、脚廻りに沿った下向き凹状の縁部が形成され、外観やフィット感にも優れている。
【００３９】
なお、本発明のパンツ型吸収性物品は、腹側及び／又は背側延出部２１ａ，２１ｂを有さない一方、おむつ１と同様に、腹側及び／又は背側外装体本体２０ａ，２０ｂに、第１及び２帯状伸縮域Ｇ２，Ｇ３を有するものであっても良い。その場合に、背側外装体２Ｂにおける前記長さＬ２ｂを前記長さＬ１ｂより長くしたり、更にそれに加えて、腹側外装体２Ａにおける前記長さＬ２ａを前記長さＬ１ａより短くすることによる利点としては、体形に追従する事でフィット性が向上すると共におむつ装着時に履かせ易くなる等が挙げられる。
【００４０】
前記長さＬ２ａは、前記長さＬ２ｂより短いことが、吸収性本体３がより股間部にフィットし吸収性能が向上する点から好ましい。
【００４１】
おむつ１における、吸収性本体３は、長手方向の一端側（腹側外装体２Ａと重なっている部分）が、腹側外装体２ＡのＹ方向の中央部付近に接着剤を介して固定され、長手方向の他端側（背側外装体２Ｂと重なっている部分）が、背側外装体２ＢのＹ方向の中央部付近に接着剤を介して固定されている。
より具体的には、腹側外装体２Ａの第１帯状伸縮域Ｇ２と吸収性本体３との間は、第１本体側固定部２８，２８間の幅と略同幅に塗工された接着剤により接合されており、腹側外装体２Ａの第２帯状伸縮域Ｇ３と吸収性本体３との間は、第２本体側固定部２９，２９間の幅と略同幅に塗工された接着剤により接合されている。
【００４２】
背側外装体２Ｂについても同様であり、背側外装体２Ｂの第１帯状伸縮域Ｇ２と吸収性本体３との間は、第１本体側固定部２８，２８間の幅と略同幅に塗工された接着剤により接合されており、背側外装体２Ｂの第２帯状伸縮域Ｇ３と吸収性本体３との間は、第２本体側固定部２９，２９間の幅と略同幅に塗工された接着剤により接合されている。
【００４３】
従って、腹側外装体２Ａにおいて、第１及び第２帯状伸縮域Ｇ２，Ｇ３は、おむつ横方向（Ｙ方向）における非伸縮部Ｇ２１，Ｇ３１の長さＬ１ａ，Ｌ２ａの大小関係と、第１又は第２帯状伸縮域Ｇ２，Ｇ３と吸収性本体３との接合部の、おむつ横方向（Ｙ方向）の長さの大小関係とが一致している。
また、背側外装体２Ｂにおいて、第１及び第２帯状伸縮域Ｇ２，Ｇ３は、おむつ横方向（Ｙ方向）における非伸縮部Ｇ２１，Ｇ３１の長さＬ１ｂ，Ｌ２ｂの大小関係と、第１又は第２帯状伸縮域Ｇ２，Ｇ３と吸収性本体３との接合部の、おむつ横方向（Ｙ方向）の長さの大小関係とが一致している。
【００４４】
ここでいう大小関係の一致は、第１帯状伸縮域Ｇ２の非伸縮部Ｇ２１の前記長さＬ１ａ（Ｌ１ｂ）が、第２帯状伸縮域Ｇ３の非伸縮部Ｇ３１の前記長さＬ２ａ（又はＬ２ｂ）より長い場合には、第１帯状伸縮域Ｇ２と吸収性本体３との接合部の、おむつ横方向（Ｙ方向）の長さが、第２帯状伸縮域Ｇ３と吸収性本体３との接合部の、おむつ横方向（Ｙ方向）の長さよりも長く、第１帯状伸縮域Ｇ２の非伸縮部Ｇ２１の前記長さＬ１ａ（Ｌ１ｂ）が、第２帯状伸縮域Ｇ３の非伸縮部Ｇ３１の前記長さＬ２ａ（又はＬ２ｂ）より短い場合には、第１帯状伸縮域Ｇ２と吸収性本体３との接合部の、おむつ横方向（Ｙ方向）の長さが、第２帯状伸縮域Ｇ３と吸収性本体３との接合部の、おむつ横方向（Ｙ方向）の長さよりも短いことをいう。
【００４５】
おむつ１においては、このような態様で、吸収性本体３と、腹側外装体２Ａ及び／又は背側外装体２Ｂとの間が固定されているため、第１帯状伸縮域Ｇ２及び／又は第２帯状伸縮域Ｇ３の伸縮部Ｇ２２，Ｇ３２の伸縮性が、吸収性本体３と重なる部分においても阻害されにくいので、上述したような各種の効果が一層確実に得られる。
この点については、後述する第２〜第４実施形態においても同様である。
【００４６】
なお、おむつ１における外層シート２２及び内層シート２３は、ウエスト開口部の開口周縁端をなす端縁部２ｄにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート側の面に接合されている。
【００４７】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料の素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００４８】
図６〜図８は、本発明の他の実施形態のパンツ型使い捨ておむつを模式的に示す図である。第２〜４実施形態のパンツ型使い捨ておむつについては、第１実施形態との相違点について主として説明し、同様の点については説明を省略する。特に説明しない点は、第１実施形態と同様である。図６及び図８には、第１実施形態のおむつの構成要素には同一の符号を付してある。
【００４９】
図６に示す第２実施形態のパンツ型使い捨ておむつにおいては、背側外装体２Ｂについては、第１実施形態のおむつ１と同様に、第２帯状伸縮域Ｇ３の非伸縮部Ｇ３１のおむつ横方向の長さＬ２ｂが、第１帯状伸縮域Ｇ２の非伸縮部Ｇ２１のおむつ横方向の長さＬ１ｂより長くなっている一方、腹側外装体２Ａにおいては、第２帯状伸縮域Ｇ３の非伸縮部Ｇ３１のおむつ横方向の長さＬ２ａが、第１帯状伸縮域Ｇ２の非伸縮部Ｇ２１のおむつ横方向の長さＬ１ａより長くなっている。
【００５０】
第２実施形態のパンツ型使い捨ておむつによれば、背側延出部２１ｂについては、延出部２１ｂのめくれや臀部の被覆性の低下を防止し、腹側延出部２１ａについては、おむつ横方向（Ｙ方向）の収縮力が低減され、肌へのゴム跡等の肌トラブルが防止出来、フィット性、履かせ易さ、動きやすさが向上する。また、延出部が大きく広がっているためサイズの大きい人にも適用可能となる。
【００５１】
第２実施形態において、前記長さＬ２ｂは、前記長さＬ１ｂの１０５〜２００％、特に１１０〜１５０％であることが好ましく、前記長さＬ２ａは、前記長さＬ１ａの１０５〜２００％、特に１１０〜１５０％であることが好ましい。前記長さＬ２ｂは、前記長さＬ１ｂの１０５〜２００％、特に１１０〜１５０％であることが好ましく、前記長さＬ２ａは前記長さＬ１ａの１０５〜２００％、特に１１０〜１５０％であることが好ましい。
また、前記長さＬ２ａは、前記長さＬ２ｂより短いことが、吸収性本体３がより股間部にフィットし吸収性能が向上する点から好ましい。
【００５２】
なお、おむつ等の吸収性物品が、腹側及び背側延出部２１ａ，２１ｂを有さず、第１及び２帯状伸縮域Ｇ２，Ｇ３が、腹側及び／又は背側外装体本体２０ａ，２０ｂに存在する場合に、背側外装体２Ｂにおける前記長さＬ２ｂを前記長さＬ１ｂより長くすると共に、腹側外装体２Ａにおける前記長さＬ２ａを前記長さＬ１ａより長くすることによる利点としては、体形に追従する事でフィット性が向上すると共におむつ装着時に履かせ易くなる等が挙げられる。
【００５３】
図７に示す第３実施形態のパンツ型使い捨ておむつにおいては、背側外装体２Ｂについては、第２帯状伸縮域Ｇ３の非伸縮部Ｇ３１のおむつ横方向の長さＬ２ｂが、第１帯状伸縮域Ｇ２の非伸縮部Ｇのおむつ横方向の長さＬ１ｂより短くなっている一方、腹側外装体２Ａについては、第２帯状伸縮域Ｇ３の非伸縮部Ｇ３１のおむつ横方向の長さＬ２ａが、第１帯状伸縮域Ｇ２の非伸縮部Ｇ２１のおむつ横方向の長さＬ１ａより長くなっている。
【００５４】
第３実施形態のパンツ型使い捨ておむつによれば、例えばおしりが細身、太ももが太めの体形であっても背側延出部２１ｂについては、延出部２１ｂのめくれや臀部の被覆性の低下を防止し、腹側延出部２１ａについては、おむつ横方向（Ｙ方向）の収縮力が低減され、肌へのゴム跡等の肌トラブルが防止出来、フィット性、履かせ易さが向上する。また、腹側の延出部が大きく広がっているため動きやすい。
【００５５】
第３実施形態において、前記長さＬ２ｂは、前記長さＬ１ｂの５〜９５％、特に５０〜９０％であることが好ましく、前記長さＬ２ａは前記長さＬ１ａの１０５〜２００％、特に１１０〜１５０％であることが好ましい。
【００５６】
なお、おむつ等の吸収性物品が、腹側及び背側延出部２１ａ，２１ｂを有さず、第１及び２帯状伸縮域Ｇ２，Ｇ３が、腹側及び／又は背側外装体本体２０ａ，２０ｂに存在する場合に、背側外装体２Ｂにおける前記長さＬ２ｂを前記長さＬ１ｂより短くすると共に、腹側外装体２Ａにおける前記長さＬ２ａを前記長さＬ１ａより長くすることによる利点としては、体形に追従する事でフィット性が向上すると共におむつ装着時に履かせ易くなる等が挙げられる。
【００５７】
図８に示す第４実施形態のパンツ型使い捨ておむつにおいては、背側外装体２Ｂについては、第２帯状伸縮域Ｇ３の非伸縮部Ｇ３１のおむつ横方向の長さＬ２ｂが、第１帯状伸縮域Ｇ２の非伸縮部Ｇのおむつ横方向の長さＬ１ｂより短くなっており、腹側外装体２Ａについても、第２帯状伸縮域Ｇ３の非伸縮部Ｇ３１のおむつ横方向の長さＬ２ａが、第１帯状伸縮域Ｇ２の非伸縮部Ｇ２１のおむつ横方向の長さＬ１ａより短くなっている。
【００５８】
第４実施形態のパンツ型使い捨ておむつによれば、例えば細身の体系であっても背側延出部２１ｂについては、延出部２１ｂのめくれや臀部の被覆性の低下を防止し、腹側延出部２１ａについては、おむつ横方向（Ｙ方向）にある程度大きく収縮させて、腹側延出部２１ａを、図１に示すような、脚廻りに沿った形状に変形させることでフィット性が向上し、また、股下の隙間が減少する事でモレへの不安感を与えない。
【００５９】
第４実施形態において、前記長さＬ２ｂは、前記長さＬ１ｂの５〜９５％、特に５０〜９０％であることが好ましく、前記長さＬ２ａは前記長さＬ１ａの５〜９５％、特に５０〜９０％であることが好ましい。
【００６０】
なお、おむつ等の吸収性物品が、腹側及び背側延出部２１ａ，２１ｂを有さず、第１及び２帯状伸縮域Ｇ２，Ｇ３が、腹側及び／又は背側外装体本体２０ａ，２０ｂに存在する場合に、背側外装体２Ｂにおける前記長さＬ２ｂを前記長さＬ１ｂより短くし、また、腹側外装体２Ａにおける前記長さＬ２ａを前記長さＬ１ａより短くすることによる利点としては、フィット性が向上し、おむつズレ防止、細身の体形に合う等が挙げられる。
【００６１】
上述した効果の一又は二以上がより確実に奏されるようにする観点等から、上述した各実施形態において、第１帯状伸縮域Ｇ２のおむつ縦方向の長さＬ１’（図３参照）は、おむつ縦方向（Ｘ方向）における腹側外装体２Ａの長さＬａ又は背側外装体２Ｂの長さＬｂ（図２参照）の５〜９５％であることが好ましく、第２帯状伸縮域Ｇ３のおむつ縦方向の長さＬ２’（図３参照）は、前記長さＬａ又はＬｂの５〜９５％であることが好ましい。
【００６２】
また、腹側外装体２Ａ及び／又は背側外装体２Ｂに、腹側及び／又は背側延出部２１ａ，２１ｂを設ける場合、腹側又は背側延出部２１ａ，２１ｂの延出長さＬ５，Ｌ６は、該サイドシール部４の長さＬ４の５〜１５０％であることが好ましく、２５〜７０％であることがより好ましい。
また、同様の観点から、腹側延出部２１ａの延出長さＬ５は、腹側外装体２Ａの長さＬａの５〜６０％、特に２０〜４０％であることが好ましく、背側外装体２Ｂの延出部２１ｂの延出長さＬ６は、背側外装体２Ｂの長さＬｂの５〜６０％、特に２０〜４０％であることが好ましい。
なお、延出部２１ａ，２１ｂそれぞれの延出長さＬ５，Ｌ６は、１０ｍｍ以上であることが好ましく、２０ｍｍ以上であることがより好ましい。
幼児用のおむつの場合、延出部２１ａ，２１ｂそれぞれの延出長さＬ５，Ｌ６は、１０〜１００ｍｍであることがより好ましく、更に好ましくは２０〜７０ｍｍである。成人用のおむつの場合、延出部２１ａ，２１ｂそれぞれの延出長さＬ５，Ｌ６は、１０〜１５０ｍｍであることがより好ましく、更に好ましくは２０〜１００ｍｍである。
【００６３】
次に、本発明のパンツ型吸収性物品の製造方法の好ましい実施態様について、図９を参照して説明する。
本実施態様の製造方法においては、図９に示すように、外層シートの原反である幅広の帯状シート１２２と、内層シートの原反である幅広の帯状シート１２３とを、両者間に弾性部材２４を伸長状態で介在させた状態に重ね合わせる。両帯状シート１２２，１２３を重ね合わせる前には、図示しない接着剤塗工機で、帯状シート１２２及び／又は帯状シート１２３に、端部固定部２７並びに第１及び第２本体側固定部２８，２９形成用の接着剤を間欠的に塗工しておき、ニップロール９０による加圧により、弾性部材２４が、各固定部２７，２８，２９において帯状シート１２２，１２３間に固定されるようにする。
【００６４】
次いで、重ね合わせた両帯状シート１２２，１２３を、周面に接合部２６形成用の凸部が形成された加圧ロール９１と、加圧ロール９１と対向配置されたアンビルロール９２との間に導入して部分的に加圧及び加熱することにより、上述した多数の接合部２６を形成する。更に、弾性部材２４を挟んだ状態の両帯状シート１２２，１２３を、周面に弾性部材２４切断用の凸部が形成された凸ロール９３と、凸ロール９３と対向配置されたアンビルロール９４との間に導入して、部分的に加圧及び／又は加熱することにより、腹側及び背側外装体２Ａ，２Ｂの第１及び第２帯状伸縮域Ｇ１，Ｇ２の非伸縮部Ｇ２１，Ｇ３１に対応する部位で弾性部材２４を切断する。
この弾性部材２４の切断工程で用いる凸ロール９３は、腹側外装体２Ａの第１帯状伸縮域Ｇ２の非伸縮部Ｇ２１を形成する部分と第２帯状伸縮域Ｇ３の非伸縮部Ｇ３１を形成する部分とで、ロール周方向における弾性部材２４切断用の前記凸部の分布長さが異なる。また、背側外装体２Ｂの第１帯状伸縮域Ｇ２の非伸縮部Ｇ２１を形成する部分と第２帯状伸縮域Ｇ３の非伸縮部Ｇ３１を形成する部分とで、ロール周方向における弾性部材２４切断用の前記凸部の分布長さ（ロールの周方向に沿って測定）が異なる。なお、接合部２６の形成と、弾性部材２４の切断は、同じロールを用いて行うこともできる。
【００６５】
次いで、弾性部材２４が介在された状態で積層された両帯状シート１２２，１２３を、分割手段９５により、２本の帯状シート１０２Ａ，１０２Ｂに分割する。この分割の際には、両帯状シート１２２，１２３を、腹側外装体の第２帯状伸縮域Ｇ３となる部分と背側外装体の第２帯状伸縮域Ｇ３となる部分とが分割されるようにする。
分割により生じた２本の帯状シート１０２Ａ，１０２Ｂは、腹側外装体連続体１０２Ａ及び背側外装体連続体１０２Ｂとして用いられる。腹側外装体連続体１０２Ａは、概ね、複数個分のおむつ１の腹側外装体２Ａが連続した構成を有し、背側外装体連続体１０２Ｂは、概ね、複数個分のおむつ１の背側外装体２Ｂが連続した構成を有している。
【００６６】
また、両帯状シート１２２，１２３の分割は、接合部２６を切断しないように行ってもよいが、両帯状シート１２２，１２３の流れ方向（ＭＤ）に並んだ複数個の接合部２６が、それぞれ、該流れ方向と直交する方向（ＣＤ）に２分割されるように行うことも好ましい。接合部２６の２分割によって生じた小接合部が、腹側及び背側外装体２Ａ，２Ｂの股下部３側の端縁部２ｃに並ぶことによって、該端縁部２ｃに中空部３０’が安定的に開口するようになり、中空部３０’又は襞３０間の凹部を介して空気の流通性が向上し、ムレ防止性や装着感が向上する。接合部２６の２分割は、２等分であっても良いが２等分でなくても良い。また、接合部２６の２分割は、分割により生じる小接合部それぞれのＣＤ方向の長さが０．５ｍｍ以上、より好ましくは２ｍｍ以上となるように行うことが好ましい。
【００６７】
分割手段としては、シートを連続的に切断し得る各種公知の切断装置を用いることができ、例えば、シートの流れ方向の上流側にカッター刃を備えたものや、周面又は周縁部に環状の刃を有する円筒又は円盤状のカッター、レーザーカッター、高圧水流カッター等を用いることができる。分割手段により分割する方法は、加圧してから分割して連続体を離間させるため、分割する前に用いる加圧ロール９１等の軸長方向の寸法を短くできる等の利点がある。
【００６８】
次いで、腹側外装体連続体１０２Ａと背側外装体連続体１０２Ｂとを、両者間に所定の間隔を設けた状態て連続搬送しながら、腹側外装体連続体１０２Ａと背側外装体連続体１０２Ｂとに、吸収性本体３を架け渡すように固定する。吸収性本体３の固定のために、吸収性本体３の裏面シート側の面及び／又は両連続体１０２Ａ，１０２Ｂの対向面に接着剤を塗工しておく。また、本実施態様においては、腹側外装体連続体１０２Ａと背側外装体連続体１０２Ｂそれぞれの流れ方向に沿う一方の側部１０２Ａ’，１０２Ｂ’を、吸収性本体３の両端部を覆うように折り返し、折り返した部分を該両端部に固定している。
【００６９】
そして、このようにして得られたおむつ連続体１０１を２つ折りし、次いで、サイドシール部４，４を、ヒートシール、超音波シール、高周波シール、接着剤等、またはこれらの手段を組み合わせて形成する。サイドシール部４，４の形成には、一対のシールロールを備えたシール装置（図示せず）が好ましく用いられる。また、おむつ連続体１０１の２つ折りは、腹側外装体連続体１０２Ａの側部１０２Ａ’の折り返し及び背側外装体連続体１０２Ｂの側部１０２Ｂ’の折り返しにより生じた縁部１０１’どうしが重なるように行う。
そして、サイドシール部４，４の形成後に、おむつ連続体１０１を公知の切断手段（図示せず）により、個々のおむつ１の寸法に切断する。これにより、上述した構成のパンツ型使い捨ておむつ１が得られる。サイドシール部４，４は、腹側外装体連続体１０２Ａ及び背側外装体連続体１０２Ｂそれぞれの全幅に亘らないように形成し、おむつ１の腹側外装体２Ａ及び背側外装体２Ｂに上述した腹側及び背側延出部２１ａ，２１ｂが形成されるようにする。
【００７０】
本実施態様の製造方法に関し、特に説明しない点は、従来の、いわゆる横流れ方式のパンツ型使い捨ておむつの製造方法と同様にして製造することができる。例えば、腹側外装体連続体１０２Ａ及び背側外装体連続体１０２Ｂ上に配置する吸収性本体３は、吸収性本体が長手方向に連続した構成の吸収性本体連続体１０３を公知の方法により製造した後、これをおむつ１個分の寸法に切断して得ることができる。また、得られた吸収性本体３は、それぞれ９０度回転した上で、腹側外装体連続体１０２Ａ及び背側外装体連続体１０２Ｂ上に間欠的に配置することができる。
【００７１】
本実施態様の方法によれば、このようにして、腹側及び／又は背側外装体２Ａ，２Ｂにおける、第１帯状伸縮域Ｇ２の非伸縮部Ｇ２１の長さと第２帯状伸縮域Ｇ３の非伸縮部Ｇ３１の長さとが異なるおむつを容易に且つ効率的に製造することができる。
また、本実施態様の方法によれば、外装体形成用の帯状シート１２２，１２３から、レッグ開口部形成用のトリムを除去しないで製造することができるため、トリムの除去や再利用に必要な工程を不要として、効率的且つ経済的に製造することができる。また、トリムが生じないため環境にもやさしい。
【００７２】
以上、本発明をその好ましい実施形態に基づき説明したが、本発明は上述した実施形態に制限されるものではない。
例えば、本発明におけるパンツ型吸収性物品は、腹側延出部又は背側延出部を有しないものであっても良く、腹側延出部及び背側延出部を共に有しないものであっても良い。
【００７３】
また、腹側外装体２Ａ又は背側外装体２Ｂに、非伸縮部Ｇ２１，Ｇ３１の長さが相互に異なる第１及び第２帯状伸縮域Ｇ２，Ｇ３を設ける一方、背側外装体２Ｂ又は腹側外装体２Ａには、そのような非伸縮部を有する帯状伸縮域を設けないこともできる。また、腹側外装体２Ａ又は背側外装体２Ｂに、非伸縮部Ｇ２１，Ｇ３１の長さが相互に異なる第１及び第２帯状伸縮域Ｇ２，Ｇ３を設ける一方、背側外装体２Ｂ又は腹側外装体２Ａには、おむつ幅方向の長さが等しい非伸縮部を有する帯状伸縮域を、おむつ縦方向における、吸収性本体３の長手方向の端部から股下部側の端縁との間の全域に亘って形成することもできる。
【００７４】
また、ウエスト帯状伸縮域Ｇ１、第１帯状伸縮域Ｇ２中の伸縮部Ｇ２２，Ｇ２２及び第２帯状伸縮域Ｇ３中の伸縮部Ｇ３２，Ｇ３２等は、図５のような接合部２６は設けず、全面的に接着された外層シート２２と内層シート２３との間に弾性部材２４が固定されているもの等であっても良い。また、おむつ１のように、接合部２６で、外層シート２２と内層シート２３との間を接合する場合、接合部２６は、平面視千鳥状のパターン等で形成されていても良い。
【００７５】
また、おむつ１における端部固定部２７は、腹側外装体２Ａ又は背側外装体２Ｂのおむつ幅方向（Ｙ方向）の端縁との間にある程度の距離（例えば０ｍｍ超２０ｍｍ以下の隙間）を設けて形成されていても良い。
【００７６】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００７７】
１  パンツ型使い捨ておむつ（パンツ型吸収性物品）
２Ａ  腹側外装体
２ａ，２ａ  側縁部
２１ａ  腹側延出部
２Ｂ  背側外装体
２ｂ，２ｂ  側縁部
２１ｂ  背側延出部
２２  外層シート
２３  内層シート
２４  弾性部材
３  吸収性本体
３１  表面シート
３２  裏面シート
３３  吸収性コア
３４  側方カフス
４  サイドシール部
５  ウエスト開口部
６  レッグ開口部
Ａ  腹側部
Ｂ  背側部
Ｃ  股下部
Ｇ１  ウエスト帯状伸縮域
Ｇ２  第１帯状伸縮域
Ｇ２１  非伸縮部
Ｇ２１  伸縮部
Ｇ３  第２帯状伸縮域
Ｇ３１  非伸縮部
Ｇ３２  伸縮部
【図１】
0005523909.tif 000002
【図２】
0005523909.tif 000003
【図３】
0005523909.tif 000004
【図４】
0005523909.tif 000005
【図５】
0005523909.tif 000006
【図６】
0005523909.tif 000007
【図７】
0005523909.tif 000008
【図８】
0005523909.tif 000009
【図９】
0005523909.tif 000010